(57)【要約】【課題】既存の靴に対して事後的に高い衝撃緩和機能をもたせることのできる靴の裏当材を提供する。【解決手段】裏当材１を、弾性材でシート状に形成し、靴底３の前部寄りの接地部３１ａの外面に装着することで、上記裏当材１を履いての歩行時には上記裏当材１が直接路面に当接し、上記靴底３は路面に直接当接しない。このため、歩行に伴って路面との間において発生する衝撃は、例えば、靴底３が路面に直接当接する場合に比して、より小さいものとなる。この結果、衝撃が上記裏当材１から上記靴底３を介して足６０の膨出部６３側に伝達されたとしても、この伝達衝撃により上記膨出部６３が受けるダメージは、例えば、靴底が直接路面に当接する場合に受けるダメージに比して、軽減され、それだけ足裏に対する保護性能が向上し、歩行時の足の痛さが軽減され、快適な履き心地が得られるものである。【選択図】図１
2009072540.tif 000002
【特許請求の範囲】
【請求項１】
弾性材でシート状に形成され、靴底（３）の前部寄りの接地部（３１ａ）の外面に装着されることを特徴とする靴の裏当材。
【請求項２】
請求項１において、
上記接地部（３１ａ）の外面に貼着又は接着により装着されることを特徴とする靴の裏当材。
【発明の詳細な説明】
【技術分野】
【０００１】  本願発明は、靴底の外面に事後的に装着されて歩行時の足裏側への衝撃伝達を可及的に緩和する靴の裏当材に関するものである。
【背景技術】
【０００２】  靴は、通常、足裏全体をカバーする板状の本底と該本底の後端側に位置するヒール部を備えた靴底と、該靴底の上面側に足を覆うように設けられた甲革と、該甲革の内底側に設けられた中底を備えて構成される（例えば、特許文献１、２参照）。【０００３】  ところで、靴の中でも、図７に示すようにヒールの高い女性用の靴２（所謂「ハイヒール」）においては、ヒール部３２の高さが高いことから、該ヒール部３２から前方へ延びる本底３１は大きく前方へ湾曲状に下降傾斜した後、その前部３１ａが路面に接地するような形体とされる。【０００４】  この場合、上記本底３１部分はその耐摩耗性と形状保持性が要求されることから、硬質の樹脂材とか木材を用いて上記ヒール部３２部分と一体的に成形されている。このため、歩行に伴って路面Ｇと本底３１の接地部３１ａとの間において発生する衝撃は大きい。さらに、近年、ある程度のクッション性をもつ土質路面は極めて少なく、殆どがアスファルト路面とかコンクリート路面、あるいはタイル路面であるが、これらの路面は反発性が極めて高いことから、歩行によって生じる衝撃がさらに増長されることになる。【０００５】  また、靴２を足６０に履いた状態では、上記本底３１の傾斜によって足６０には前方への滑り作用が働くため、指先部６１の後方側の膨出部６３を上記本底３１の前部３１ａの内面側に押し付けることで足６０の前方への滑りを規制するようになっている。【０００６】  一方、上記足６０の骨格は、図１０に示すように、指先側の末節骨７１から順次、基節骨７２、中足骨７３、楔状骨７４、距骨７５及び踵骨７６が配置された構成となっており、しかも上記中足骨７３の前部７３ａは上記膨出部６３に対応する位置にあって、歩行に伴う衝撃（図１０の矢印Ｆ参照）が直接的に入力される部位である。【０００７】  この場合、上記中足骨７３はこれに上下方向（中足骨７３の長手方向に直交する方向）から衝撃が入力されたときは楔状骨７４との関節部分の動きでその衝撃を吸収できるが、上述のように靴２の本底３１の前傾に対応して、上記中足骨７３の前部７３ａにはその長手方向に近い方向から衝撃が入力されるため、間接の動きによる衝撃緩和作用が十分に得られない。【０００８】  これらのことから、ハイヒールを履いて歩行する場合、靴底３側から大きな衝撃が足６０の膨出部６３部分に入力されることになり、特にハイヒールを日常的に使用する女性からは、「ハイヒールを履いて歩行すると足が痛く、さらに頭まで響く」という声が多く聞かれるところである。【０００９】
【特許文献１】  特開２００２−８５１０８号公報
【特許文献２】  特開２００５−１５２５９６号公報。
【発明の開示】
【発明が解決しようとする課題】
【００１０】  このような問題を解決する手法として、特許文献１に示されるように内底の前部にクッション材を敷設するとか、特許文献２に示されるように内底の前部にパン材を敷設し、これらクッション材とかパン材の衝撃吸収機能によって歩行に伴って靴底側から足裏側へ伝達される衝撃を緩和させることが考えられる。【００１１】  しかし、これらの手法は、一旦、靴底側に入力された衝撃を、これが足裏側へ伝達されるまでの間において吸収緩和させようとするものであって、歩行に伴って生じる衝撃そのものを緩和させるものではないことから、大きな効果は望めない。【００１２】  また、靴底それ自体に路面側からの衝撃を緩和する機能をもたせることも可能ではあるが、これは当該機能を備えた靴を購入して初めてその効果が得られるものであって、例えば、元来、上記機能をもたない手持ちの靴においては望み得ないものである。特に、ハイヒールは服装とか場所等に合わせて選択するのが通例であって、女性の多くが形体とか色等が異なるハイヒールを複数所持している場合が多く、従って、全ての靴に当初から上記機能をもたせることは、靴の使用状況によっては当該機能を必要としない場合もあることを考え合わせると、現実的な手法とは言い難い。【００１３】  そこで本発明は、既存の靴に対して事後的に、高い衝撃緩和機能をもたせることのできる靴の裏当材を提供することを目的としてなされたものである。
【課題を解決するための手段】
【００１４】  本願の第１の発明に係る靴の裏当材は、弾性材でシート状に形成され、靴底３の前部寄りの接地部３１ａの外面に装着されることを特徴としている。【００１５】  本願の第２の発明に係る裏当材は、上記第１の発明に係る靴の裏当材において、上記接地部３１ａの外面に貼着又は接着により装着されることを特徴としている。
【発明の効果】
【００１６】  （ａ）  本願の第１の発明に係る靴の裏当材【００１７】  （ａ−１）  本願の第１の発明に係る靴の裏当材によれば、該裏当材１が、弾性材でシート状に形成され、靴底３の前部寄りの接地部３１ａの外面に装着されるものであることから、上記裏当材１を履いての歩行時には上記裏当材１が直接路面に当接し（即ち、硬質材と軟質材の当接）、上記靴底３は路面に直接当接しない。このため、歩行に伴って路面との間において発生する衝撃は、例えば、靴底３が路面に直接当接する場合（即ち、硬質材同士の当接）に比して、極めて小さいものとなる（換言すれば、発生する衝撃そのものが小さく抑えられる）。【００１８】  このように、発生する衝撃自体が小さく抑えられることで、この衝撃が上記裏当材１から上記靴底３を介して足６０の膨出部６３側に伝達されたとしても、この伝達衝撃により上記膨出部６３が受けるダメージは、例えば、靴底が直接路面に当接する硬質材同士の当接のように、発生する衝撃そのものが大きく、この大きな衝撃がクッション材等で緩和されて足裏に伝達されるような場合において受けるダメージに比して、極めて小さく、それだけ足裏に対する保護性能が向上し、歩行時の足の痛さが軽減され、快適な履き心地が得られるものである。【００１９】  （ａー２）  上記裏当材１が弾性材でシート状に形成されていることから、この裏当材１を靴底３の外面に装着しても、該裏当材１の存在によって足裏に違和感を与えることは殆どなく、高い衝撃緩和作用と快適な履き心地の両立が可能である。【００２０】  （ｂ）  本願の第２の発明に係る靴の裏当材【００２１】  本願の第２の発明に係る靴の裏当材によれば、上記（ａ）に記載の効果に加えて、以下のような効果が得られる。即ち、この発明では、上記裏当材１が、靴底３の前部寄りの接地部３１ａの外面に貼着又は接着により装着される構成であることから、
（ｂ−１）該裏当材１を既存の靴２に装着して高い衝撃緩和作用を得ることができる、
（ｂ−２）特に貼着構造のものにおいては、例えば、複数の靴２の中の一つに上記裏当材１を既に装着していたが、その後、服装等とのマッチングから他の靴を選択したような場合には、先の靴から上記裏当材１を取外してこれを新たに選択された靴２に装着することができ、該裏当材１の有効利用が可能となる、
（ｂ−３）上記裏当材１として、形状とかデザインの異なるものを複数個用意することで、例えば、これら複数個の裏当材１を好みに応じて使用することで、その使用態様の拡大が可能である、
等の効果が得られる。
【発明を実施するための最良の形態】
【００２２】  以下、本願発明を好適な実施形態に基づいて具体的に説明する。【００２３】  第１の実施形態
図１及び図２には、本願発明の第１の実施形態に係る裏当材１を靴２の靴底３の表面に装着した状態を示している。【００２４】  ここで、上記靴２は、女性用のパンプスタイップのハイヒールであって、靴底３と甲革４及び中底５を備えて構成される。また、上記靴底３は、板状の本底３１と該本底３１の後端部に設けられたヒール部３２を一体的に成形して構成される。さらに、上記本底３１は、上記ヒール部３２部分から前方に向かって湾曲状に下降傾斜した後、路面Ｇに沿うように略平面状に延出する形状をもつものであって、この略平面状部分を接地部３１ａとしている。そして、この接地部３１ａの表面に、次述する裏当材１が装着される。【００２５】  上記裏当材１は、図３に示すように、所定厚さ（例えば、０．５〜１．５ｍｍが好適）の弾性材を用いてシート状に形成されている。この場合、上記裏当材１の素材としては、弾性のみならず耐磨耗性をも考慮して、例えば、アクリロニトリル−ブタジエンゴム（ＮＢＲ）、スチレン−ブタジエンゴム（ＳＢＲ）等のゴム類とか、ＥＶＡ，ＰＵ，ポリ塩化ビニル（ＰＶＣ）等のエラストマー等が好適である。【００２６】  この裏当材１の表面１ａには、滑り止め用の溝１１が所定数設けられているが、この溝１１の形状は図３に示すような平行な直線状に形成するとか、図４に示すように交差直線状に形成するなど、任意に設定できるものである。【００２７】  また、上記裏当材１は、上記靴底３の本底３１の表面に貼着又は接着により装着されるもので、例えば、貼着により装着する場合には、該裏当材１の裏面１ｂに貼着を設け、その使用に際しては、図３及び図４に鎖線図示するように、剥離紙１０を取外して粘着剤により上記本底３１側に貼着する。また、接着により装着する場合には、上記裏当材１の装着に際して、適宜の接着剤を該裏当材１側あるいは上記本底３１側に塗布して固定する。【００２８】  このように構成された上記裏当材１は、図１及び図２に示すように、上記靴底３の本底３１の接地部３１ａ部分の表面に装着される。【００２９】  このように上記靴２の靴底３に上記裏当材１を装着することで、以下のような作用効果が得られる。【００３０】  即ち、弾性材でシート状に形成された上記裏当材１を、上記靴底３の前部寄りの接地部３１ａの外面に装着することで、上記靴２を履いての歩行時には、上記裏当材１が直接路面Ｇに当接し（即ち、硬質材と軟質材の当接）、上記靴底３は路面に直接当接しない。このため、歩行に伴って路面との間において発生する衝撃は、例えば、靴底３が路面に直接当接する場合（即ち、硬質材同士の当接）に比して、極めて小さいものとなる。【００３１】  このように発生する衝撃自体が小さくなることで、この衝撃が上記裏当材１から上記靴底３を介して足６０の膨出部６３側に伝達されたとしても、この伝達衝撃により上記膨出部６３が受けるダメージは、例えば、靴底が直接路面に当接する硬質材同士の当接のように、発生する衝撃そのものが大きく、この大きな衝撃がクッション材等で緩和されて足裏に伝達される場合において受けるダメージに比して、極めて小さく、それだけ足裏に対する保護性能が向上し、歩行時の足の痛さが軽減され、快適な履き心地が得られる。【００３��】  即ち、本願発明に係る裏当材１は、歩行に伴って発生する衝撃そのものをその発生段階において抑えるものであって、発生段階の衝撃に対しては何等の抑制機能をもたず、発生した大きな衝撃を靴の内底に設けたクッション材等によって緩和させる従来の手法とは、衝撃の緩和メカニズムを全く異にするものであり、この衝撃の緩和メカニズムの相違に起因して、上記の如き従来手法では得られない特有の作用効果が得られるものである。【００３３】  また、上記裏当材１が弾性材でシート状に形成されていることから、この裏当材１を靴底３の外面に装着しても、該裏当材１の存在によって足裏に違和感を与えることは殆どなく、高い衝撃緩和作用と快適な履き心地の両立が可能である。【００３４】  一方、上記裏当材１が、靴底３の前部寄りの接地部３１ａの外面に着脱自在に装着されることから、該裏当材１を既存の靴２に装着して高い衝撃緩和作用を得ることができる。【００３５】  また、特に貼着構造のものにおいては、例えば、複数の靴２の中の一つに上記裏当材１を既に装着していたが、その後、服装等とのマッチングから他の靴２を選択したような場合には、先の靴２から上記裏当材１を取外してこれを新たに選択された靴２に装着することができ、該裏当材１の有効利用が可能となる。【００３６】  さらに、上記裏当材１として、形状とかデザインの異なるものを複数個用意することで、例えば、これら複数個の裏当材１を好みに応じて使用することで、その使用態様の拡大が可能となる。この場合、上記裏当材１の平面形状は、図３に示すような上記靴底３の形状に対応する形状とする他に、例えば、図５に示すようなハート形等の周知形状とか、図６に示すような魚形等の事物形状とするなど、任意に設定可能である。これによって、上記裏当材１を、それ本来の「衝撃緩和機能材」として用いる他に、「おしゃれ感覚」で用いることもできる。【００３７】  第２の実施形態
図６及び図７には、本願発明の第２の実施形態に係る裏当材１を靴２の本底３１に装着した状態を示している。【００３８】  この第２の実施形態の裏当材１は、上記第１の実施形態における上記裏当材１が単一で使用されるものであったのに対して、該裏当材１を小形に形成し、これを使用者の好みとか、個人差のある足裏の条件等に応じて、所定数を且つ好みの配置パターンで装着するものである。【００３９】  尚、図７に示される裏当材１はこれを円形に形成し、図８に示されるものはこれを星型に形成したものであるが、この裏当材１の形状はこれら以外にも適宜に設定できることは勿論である。そして、この裏当材１の形状を多種類用意することで、使用者の「おしゃれ感覚」をより一層刺激して購入意欲を惹起することができる。【００４０】  その他
図９には、本願発明に係る裏当材１をサンダルタイプのハイヒール２の本底３１に装着した状態を示している。このようなサンダルタイプのハイヒール２においては、パンプスタイプのハイヒールのような甲革４が設けられておらず、これに代わるものとして網状の足掛帯６が設けられているのみである。
従って、このようなサンダルタイプのハイヒール２においては、足６０の側部を拘束する機能、換言すれば、足６０が上記靴底３の前傾形状によって前方へ移動される作用を規制する機能が低く、上記足６０の膨出部６３部分により大きな力が掛かる構造であることから、上記本底３１の接地部３１ａの表面に上記裏当材１を装着したことによる効果がより一層顕著となるものである。【００４１】  なお、この実施形態では、上記靴２として女性用のハイヒールを例示しているが、これに限定されるものではなく、例えば、ビジネスシューズ等のローヒールタイプの靴とか、スポーツシューズ等にも広く適用できるものである。
【図面の簡単な説明】
【００４２】
【図１】  本願発明の第１の実施の形態に係る裏当材を靴に装着した状態を示す断面図である。
【図２】  図１のＩＩ−ＩＩ矢視図である。
【図３】  図１に示した裏当材の拡大斜視図である。
【図４】  図３に示した裏当材の変形例を示す斜視図である。
【図５】  裏当材の他の平面形状例である。
【図６】  裏当材の他の平面形状例である。
【図７】  本願発明の第２の実施の形態に係る裏当材を靴に装着した状態を示す裏面図である。
【図８】  本願発明の第２の実施の形態に係る裏当材の他の平面形状例における裏面図である。
【図９】  本願発明の裏当材の他の適用例を示す断面図である。
【図１０】  靴と足骨の位置関係を示す側面図である。
【符号の説明】
【００４３】１      ・・裏当材
２      ・・靴
３      ・・靴底
４      ・・甲革
５      ・・中底
６      ・・足掛帯
１０    ・・剥離紙
１１    ・・溝
３１    ・・本底
３２    ・・ヒール部
６０    ・・足
６１    ・・指先部
６３    ・・膨出部
７３    ・・中足骨
【図１】
2009072540.tif 000003
【図２】
2009072540.tif 000004
【図３】
2009072540.tif 000005
【図４】
2009072540.tif 000006
【図５】
2009072540.tif 000007
【図６】
2009072540.tif 000008
【図７】
2009072540.tif 000009
【図８】
2009072540.tif 000010
【図９】
2009072540.tif 000011
【図１０】
2009072540.tif 000012